(57)【特許請求の範囲】
【請求項１】
締結部品と、
前記締結部品と一体化される枠体と、
前記締結部品を介して前記枠体に固定された器具本体と、
前記締結部品を介して前記枠体と記器具本体を固定するための取付ねじと、
を含み、
前記締結部品は、
軸部と頭部とから成っており、
前記取付ねじが螺合するめねじ部が前記頭部にのみ設けられ、
前記軸部には、
前記軸部の中心軸を含む平面と平行な平面部からなる切欠部を有する
ことを特徴とした照明装置。
【請求項２】
締結部品と、
前記締結部品と一体化される枠体と、
前記締結部品を介して前記枠体に固定された器具本体と、
前記締結部品を介して前記枠体と前記器具本体を固定するための取付ねじと、
を含み、
前記締結部品は、
軸部と、
頭部とから成り、
前記取付ねじが螺合するめねじ部が、
前記頭部にのみ設けられ、
前記軸部は、
前記軸部の中心軸を含む平面と平行な平面部に直交した断面形状が略Ｈ字状からなる切欠部を有する
ことを特徴とした照明装置。
【請求項３】
前記器具本体に取り付けられ、前記枠体を被取付面の取付孔に固定する取付用ばねを含む
請求項１又は２に記載の照明装置。
【請求項４】
前記取付用ばね、前記器具本体、前記締結部品及び前記枠体が順に重ねられて固定される
請求項３に記載の照明装置。
【請求項５】
前記締結部品は、
前記枠体に埋設される軸部と、
前記枠体から突出する頭部と、
を含み、
前記軸部の表面の全面は、前記枠体と密着している
請求項１〜４のいずれか１項に記載の照明装置。
【請求項６】
前記軸部は、
前記締結部品が前記枠体から抜けることを防止する抜け防止部と、
前記締結部品が回転することを防止する回転防止部と、
を含む
請求項５に記載の照明装置。
【請求項７】
前記抜け防止部は、前記軸部が抜ける方向に対して交差する方向に向かって設けられた溝部、前記軸部の側壁を貫通する貫通孔、又は前記軸部の少なくとも一部に設けられた逆テーパー部である
請求項６に記載の照明装置。
【請求項８】
前記回転防止部は、前記軸部の少なくとも一部を切欠いて形成された平面部又は前記軸部の側壁を貫通する貫通孔である
請求項６又は７に記載の照明装置。
【請求項９】
前記軸部は、前記平面部に直交する断面の断面形状が略Ｄ字状を有する
請求項８に記載の照明装置。
【請求項１０】
前記軸部の長さは、前記締結部品の長さの３０％以上である
請求項６〜９の少なくとも１項に記載の照明装置。
【請求項１１】
前記締結部品は、
前記枠体に埋設される前記軸部と、
前記枠体から突出する前記頭部と、
を含み、
前記軸部の表面の全面は、前記枠体と密着しており、
前記締結部品の前記頭部は、
前記器具本体と前記取付用ばねとを固定するための取付ねじと螺合するめねじ部を有する
請求項３に記載の照明装置。
【請求項１２】
前記締結部品は、真鍮、鉄又はステンレスで形成される
請求項１１に記載の照明装置。
【発明の詳細な説明】
【技術分野】
【０００１】
本発明は、照明装置及び締結機構に関する。
【背景技術】
【０００２】
従来、天井又は壁取付け用の照明装置が多数提案されている。特に近年、発光素子として、従来用いられてきた白熱電球や蛍光灯に比べて消費電力が少なく耐久性にも優れた発光ダイオード（ＬＥＤ：Light Emitting Diode）が多く用いられている。例えば、以下に示す特許文献１には、発光素子としてＬＥＤを備える天井取付用の照明器具が記載されている。
引用文献１には、照明器具の基板収納ケースや配線基板を内部に収納するための枠体として、放熱性に優れたアルミニウムなどの金属材料又は成形性に優れた合成樹脂材料を用いることが記載されている。
【先行技術文献】
【特許文献】
【０００３】
【特許文献１】特開２０１１−１３４５０１号公報
【発明の概要】
【発明が解決しようとする課題】
【０００４】
しかしながら、上述した照明器具において、金属材料で形成された枠体の代わりに、軽量化やコスト削減のために樹脂材料で形成された枠体を用いた場合、枠体が損傷するおそれがある。特に、照明器具を天井等に取り付けるための取付用ばねを枠体に固定した場合、枠体の取付用ばね固定部分に照明器具の重量分の力がかかるため、枠体の取付用ばね固定部分が損傷する可能性が高くなる。取付用ばねと枠体との接続部分が損傷した場合、天井等に取り付けた照明器具が落下するおそれがある。
【０００５】
本発明は、このような事情に鑑みてなされたものであって、照明装置の枠体の取付用ばね固定部分の損傷を防止した照明装置及び締結機構の提供を目的とする。
【課題を解決するための手段】
【０００６】
上記課題を解決するために、本発明の一態様に係る照明装置は、締結部品と、前記締結部品と一体化される枠体と、前記締結部品を介して前記枠体に固定された器具本体と、前記締結部品を介して前記枠体と記器具本体を固定するための取付ねじと、を含み、前記締結部品は、軸部と頭部とから成っており、前記取付ねじが螺合するめねじ部が前記頭部にのみ設けられ、前記軸部には、前記軸部の中心軸を含む平面と平行な平面部からなる切欠部を有することを特徴とする。
本発明の他の態様に係る照明装置は、締結部品と、前記締結部品と一体化される枠体と、前記締結部品を介して前記枠体に固定された器具本体と、前記締結部品を介して前記枠体と前記器具本体を固定するための取付ねじと、を含み、前記締結部品は、軸部と、頭部とから成り、前記取付ねじが螺合するめねじ部が、前記頭部にのみ設けられ、前記軸部は、前記軸部の中心軸を含む平面と平行な平面部に直交した断面形状が略Ｈ字状からなる切欠部を有することを特徴とする。
【０００７】
本発明の他の態様に係る照明装置は、上述の照明装置において、前記器具本体に取り付けられ、前記枠体を被取付面の取付孔に固定する取付用ばねを含む。
本発明の他の態様に係る照明装置は、上述の照明装置において、前記取付用ばね、前記器具本体、前記締結部品及び前記枠体が順に重ねられて固定されていてもよい。
本発明の他の態様に係る照明装置は、上述の照明装置において、前記締結部品が、前記枠体に埋設される軸部と、前記枠体から突出する頭部と、を含み、前記軸部の表面の全面が、前記枠体と密着していることが好ましい。
【０００８】
本発明の他の態様に係る照明装置は、上述の照明装置において、前記軸部は、前記締結部品が前記枠体から抜けることを防止する抜け防止部と、前記締結部品が回転することを防止する回転防止部と、を含むことが好ましい。
本発明の他の態様に係る照明装置は、上述の照明装置において、前記抜け防止部が、前記軸部が抜ける方向に対して交差する方向に向かって設けられた溝部、前記軸部の側壁を貫通する貫通孔、又は前記軸部の少なくとも一部に設けられた逆テーパー部であることが好ましい。
本発明の他の態様に係る照明装置は、上述の照明装置において、前記回転防止部が、前記軸部の少なくとも一部を切欠いて形成された平面部又は前記軸部の側壁を貫通する貫通孔であることが好ましい。
本発明の他の態様に係る照明装置は、上述の照明装置において、前記軸部が、前記平面部に直交する断面の断面形状が略Ｄ字状を有することが好ましい。
【０００９】
本発明の他の態様に係る照明装置は、上述の照明装置において、前記軸部の長さは、前記締結部品の長さの３０％以上であることが好ましい。
本発明の他の態様に係る照明装置は、上述の照明装置において、前記締結部品の前記頭部が、前記器具本体と前記取付用ばねとを固定するための取付ねじと螺合するめねじ部を有することが好ましい。
本発明の他の態様に係る照明装置は、上述の照明装置において、前記締結部品は、真鍮、鉄又はステンレスで形成されることが好ましい。
【００１０】
また、本発明の一態様に係る締結機構は、金属材料で形成された締結部品と、樹脂材料で形成され、前記締結部品と一体化された第１の部品と、前記締結部品を介して前記第１の部品に締結された第２の部品と、を含むことを特徴とする。
【発明の効果】
【００１１】
本発明によれば、照明装置の枠体の取付用ばね固定部分の損傷を防止した照明装置及び締結機構を得ることができる。
【図面の簡単な説明】
【００１２】
【図１】本発明の一実施形態に係る照明装置の構成を示す分解斜視図である。
【図２】照明装置の外観を示す正投影図である。
【図３】本発明の一実施形態に係る照明装置の外観を示す斜視図である。
【図４】本発明の一実施形態に係る照明装置の構成を示す断面図である。
【図５】本発明の一実施形態に係る照明装置の被取付面への取付状態を示す図である。
【図６】本発明の一実施形態に係る照明装置の枠体の外観を示す正投影図である。
【図７】本発明の一実施形態に係る照明装置の枠体の外観を示す斜視図である。
【図８】本発明の一実施形態に係る照明装置の枠体と一体化された締結部品の一構成例を示す正投影図である。
【図９】本発明の一実施形態に係る照明装置の枠体と一体化された締結部品の一構成例を示す斜視図である。
【図１０】本発明の一実施形態に係る照明装置の枠体と一体化された締結部品の一構成例を示す断面図である。
【図１１】本発明の一実施形態に係る照明装置の枠体と一体化された締結部品の他の構成例を示す正面図である。
【図１２】本発明の一実施形態に係る照明装置の枠体と一体化された締結部品の他の構成例を示す図である。
【図１３】本発明の他の実施形態に係る照明装置の構成を示す断面図である。
【発明を実施するための形態】
【００１３】
以下、本発明の一実施形態に係る照明装置について説明する。なお、以下の実施形態において、照明装置が天井に取り付けられた場合の鉛直上向き方向を照明装置の上方向とし、鉛直下向き方向（床方向）を照明装置の下方向として説明する場合がある。
【００１４】
［照明装置の全体構成］
図１は、本発明の一実施形態に係る照明装置１０の構成を示す分解斜視図である。
図２は、照明装置１０の外観を示す正投影図であり、図２（ａ）は照明装置１０の正面図、図２（ｂ）は照明装置１０の右側面図、図２（ｃ）は照明装置１０の左側面図、図２（ｄ）は照明装置１０の背面図、図２（ｅ）は照明装置１０の上面図、図２（ｆ）は照明装置１０の底面図である。
また、図３は、照明装置１０の外観を示す斜視図である。図３（ａ）は、照明装置１０の上方向からの斜視図であり、図３（ｂ）は、照明装置１０の下方向（床方向）からの斜視図である。
図４は、照明装置１０の断面図である。図４は、図２（ｂ）に示す照明装置１０のＡ−Ａ’断面を示す断面図である。
図５は、照明装置１０を被取付面３０に取り付けた際の取付の様子を示す外観図である。
【００１５】
以下、照明装置１０の構成を説明する。
照明装置１０は、電源部１１と、取付用ばね１２（１２ａ，１２ｂ）と、器具本体１３と、ねじ１４（１４ａ，１４ｂ，１４ｃ）と、発光素子基板１５と、ＬＥＤ等の発光素子１６と、反射部品１７と、取付ねじ１８（１８ａ，１８ｂ）と、枠体１９と、締結部品２０（２０ａ，２０ｂ）と、透光性カバー２１と、パッキン２２及び２３と、を備えている。
照明装置１０は、図５（ａ）及び（ｂ）に示すように、取付用ばね１２ａ及び１２ｂによって被取付面３０に取り付けられる。
以下、照明装置１０の各部について説明する。
【００１６】
（電源部）
電源部１１は、例えば金属製の電源ボックス１１ａの内部にＬＥＤ等の発光素子１６の点灯回路（即ち、電源回路）を収納している。電源部１１内の電源回路は、照明装置１０が取り付けられる天井等の被取付面内の電力供給ケーブル（図示せず）と接続される。
電源ボックス１１ａ内に設けられた電源回路は、例えば、電力供給ケーブルから供給される交流電力を直流に変換し、その出力（即ち、直流電力）を発光素子１６に供給する。
電源部１１は、ねじ１４ａによって器具本体１３に取り付けられる。
【００１７】
（取付用ばね）
取付用ばね１２（１２ａ，１２ｂ）は、照明装置１０の器具本体１３に取り付けられ、照明装置１０の枠体１９を被取付面の取付孔（図示せず）に固定する。取付用ばね１２は、例えば、略Ｌ字形状であり、取付用ばね１２の一端１２１（１２１ａ，１２１ｂ）が器具本体１３に取り付けられる。また、取付用ばね１２のＬ字形状の折れ曲がり部分１２２（１２２ａ，１２２ｂ）は、後述する枠体１９の一部分との間に被取付面を挟持して照明装置１０を固定する。
また、取付用ばね１２（１２ａ，１２ｂ）は、取付ねじ１８を取り付けるための孔部１２３（１２３ａ、１２３ｂ）を備えている。
【００１８】
（器具本体）
器具本体１３は、発光体が取り付けられ、締結部品２０を介して枠体１９に固定される。器具本体１３は、発光素子基板１５が取り付けられる平面部１３ａを備えている。平面部１３ａの一方の面には、例えばねじ１４ｂ及び１４ｃによって、発光体である発光素子１６が実装された発光素子基板１５が固定される。
また、器具本体１３は、平面部１３ａの端縁から発光素子１６の光の照射方向に向けて広がるように形成された側縁部１３ｂと、後述する枠体１９と一体化された締結部品２０（２０ａ，２０ｂ）に対向するように形成された鍔部１３ｃと、を備える。鍔部１３ｃは、締結部品２０（２０，２０ｂ）と対向する位置に、取付ねじ１８を取り付けるための孔部１３ｄを備えている。
【００１９】
さらに、器具本体１３は、平面部１３ａの発光素子基板１５が取り付けられる回路基板取付面の裏面側と側縁部１３ｂの少なくとも一部から突出した複数個の放熱部１３ｅを備えている。器具本体１３は、全体として照明装置１０のヒートシンクとなっている。そして、放熱部１３ｅにより、照明装置１０の放熱性を向上させることができる。
【００２０】
（発光素子基板）
発光素子基板１５は、器具本体１３と対向しない一方の面にＬＥＤ等の発光素子１６が実装されている。また、発光素子基板１５には、電源部１１から導出される配線（図示せず）が接続されており、発光素子基板１５の発光素子１６に対して電力が供給される。
上述したとおり、発光素子基板１５は、器具本体１３に対してねじ１４ｂ、１４ｃにより固定される。
【００２１】
（反射部品）
反射部品１７は、器具本体１３の側縁部１３ｂの内面に沿うように設けられ、発光素子１６から照射された光を反射する。発光素子１６から照射された光は、反射部品１７によって予め設定した方向（例えば、床面に向かう方向）へ反射される。
図４に示すように、反射部品１７は、例えば器具本体１３と枠体１９とで挟まれることにより、器具本体１３の側縁部１３ｂの内面に沿う位置で固定される。
【００２２】
（透光性カバー）
透光性カバー２１は、発光素子１６を覆い、発光素子１６から照射された光を予め設定した方向（例えば、床面に向かう方向）に対して透過する。透光性カバー２１は、発光素子１６から照射された光を拡散する機能を有していてもよい。
図４に示すように、透光性カバー２１は、例えば器具本体１３と枠体１９とで挟まれることにより、器具本体１３に取り付けられた発光素子１６を覆う位置で固定される。
また、透光性カバー２１は、パッキン２２を介して枠体１９と対向する位置に設けられる。
【００２３】
（枠体）
図６は、照明装置１０の枠体１９の外観を示す正投影図であり、図６（ａ）は枠体１９の正面図、図６（ｂ）は枠体１９の右側面図、図６（ｃ）は枠体１９の左側面図、図６（ｄ）は枠体１９の背面図、図６（ｅ）は枠体１９の上面図、図６（ｆ）は枠体１９の底面図である。
また、図７は、照明装置１０の枠体１９の外観を示す斜視図である。図７（ａ）は、枠体１９の上方向からの斜視図であり、図３（ｂ）は、枠体１９の下方向（床方向）からの斜視図である。
【００２４】
枠体１９は、樹脂材料で形成され、締結部品２０と一体化されている。枠体１９には、取付ねじ１８によって、締結部品２０を介して器具本体１３及び取付用ばね１２が固定される（図４参照）。照明装置１０では、取付用ばね１２、器具本体１３、締結部品２０及び枠体１９が順に重ねられて固定される。取付用ばね１２、器具本体１３、締結部品２０及び枠体１９は、取付ねじ１８（１８ａ，１８ｂ）によって固定される。
枠体１９は、発光素子１６もしくは発光素子１６の光の経路となる空間を取り囲む形状を有し、枠体１９の光照射方向端部には、鍔部１９１が形成されている。また、枠体１９は、枠体１９の放熱性を向上させ、かつ枠体１９の強度を向上させるリブ１９２を備えている。
図５に示すように、照明装置１０は、枠体１９の鍔部１９１が被取付面３０と対向するようにして被取付面３０に取り付けられる。このとき、図４に示すように、鍔部１９１の被取付面３０と対向する部分には、パッキン２３が配置されている。
【００２５】
（締結部品）
図８は、枠体１９と一体化された締結部品２０の一構成例を示す正投影図であり、図８（ａ）は締結部品２０の正面図、図８（ｂ）は締結部品２０の右側面図、図８（ｃ）は締結部品２０の左側面図、図８（ｄ）は締結部品２０の背面図、図８（ｅ）は締結部品２０の上面図、図８（ｆ）は締結部品２０の底面図である。
また、図９（ａ）及び図９（ｂ）は、図８に示す締結部品２０の外観を示す斜視図である。
また、図１０は、図８に示す締結部品２０のＢ−Ｂ’断面を示す断面図である。
【００２６】
締結部品２０は、金属材料で形成される。具体的には、締結部品２０は、真鍮、鉄又はステンレスで形成されることが好ましい。
図８及び図９に示すように、締結部品２０は、枠体１９に埋設される軸部２０１と、枠体１９から突出する頭部２０２とを含んでいる。
【００２７】
締結部品２０の頭部２０２は、器具本体１３と取付用ばね１２とを固定するための取付ねじ１８と螺合するめねじ部２０２ａを有する。
また、頭部２０２の長さは、５ｍｍ以上であることが好ましい。頭部２０２の長さを少なくとも５ｍｍ以上とすることにより、めねじ部２０２ａの深さを十分に確保することができる。このため、取付ねじ１８によって取付用ばね１２及び器具本体１３が締結部品２０に確実に固定される。
【００２８】
軸部２０１の長さは、締結部品２０全体の長さの３０％以上であることが好ましく、５０％以上であることがより好ましい。軸部２０１の長さを締結部品２０全体の長さの３０％以上とすることにより、締結部品２０が枠体１９に埋設される長さを十分に確保することができる。このため、締結部品２０が枠体１９から抜けにくくなる。
なお、締結部品２０は、軸部２０１と頭部２０２とを備えているため、軸部２０１の長さは、締結部品２０全体の長さの１００％未満となる。
【００２９】
また、軸部２０１の表面の全面は、枠体１９と密着している。これにより、後述するように、枠体１９に埋設された軸部２０１が枠体１９から抜けたり、回転したりすることを防止することができる。なお、軸部２０１の表面の全面を枠体１９と密着させるために、例えばインサート成形により枠体１９を形成する。インサート成形で枠体１９を形成する際に締結部品２０の軸部２０１の表面の全面が溶融した樹脂材料で覆われた状態で樹脂材料を硬化させる。このため、軸部２０１の表面の全面を枠体１９と密着させることができる。
【００３０】
ここで、樹脂材料で形成された枠体に取付ねじ（例えばタッピンネジ）をねじ込んだ場合、取付ねじの軸部（おねじ）と、ねじを締結した際に取付ねじによって枠体に切られためねじとの間に微小な間隙が生じる場合がある。また、軸部の一部に切欠きを設けた取付ねじを枠体に取り付ける場合には、切欠きの部分に間隙が生じる。このような場合、取付ねじが回転して緩み、枠体から外れやすくなるおそれがある。また、取付ねじを枠体にねじ込む際に、枠体にクラックが生じて枠体が破損しやすくなる。
一方、本実施形態に係る照明装置１０では、インサート成形により枠体１９と一体化された締結部品２０に取付ねじ１８をねじ込んで取付用ばね１２等を取り付けるため、締結部品２０が回転したり抜けることを防止できる。また、取付ねじ１８は、枠体１９にはねじ込まれないので、枠体１９にクラックが生じることを防止できる。
【００３１】
軸部２０１は、締結部品２０が枠体１９から抜けることを防止する抜け防止部２０１ａを含んでいる。抜け防止部２０１ａは、例えば、軸部２０１の表面に溝部を設けて、表面形状を凹凸形状とすることにより、枠体１９形成時にこの溝部に樹脂材料が入り込んで硬化し、枠体１９から締結部品２０が抜けにくくなる構造である。
図８に示すように、軸部２０１の形状を凹凸形状として抜け防止部２０１ａを形成した締結部品２０は、抜け防止部２０１ａの凸部分が枠体１９に引っかかり、枠体１９から抜けにくくなる。
【００３２】
図１１に示すように、締結部品２０の抜け防止部２０１ａは、例えば、軸部２０１が抜ける方向に対して交差する方向に向かって設けられた溝部、軸部２０１の側壁を貫通する貫通孔、又は軸部２０１の少なくとも一部に設けられた逆テーパー部であってもよい。
図１１（ａ）に示す締結部品２０は、図８に記載したように、軸部２０１が抜ける方向に対して交差する方向に向かって設けられた溝部を抜け防止部２０１ａとした例である。なお、この場合、抜け防止部２０１ａとして、ねじのようならせん状の溝を設けることは好ましくない。締結部品２０を回転させることにより、締結部品２０が枠体１９から抜ける可能性があるためである。但し、抜け防止部２０１ａとしてらせん状の溝を設け、かつ後述する回転防止部２０１ｂを備えていれば、締結部品２０が枠体１９から抜けることを防止できる。
【００３３】
図１１（ｂ）に示す締結部品２０は、軸部２０１の側壁を貫通する貫通孔を抜け防止部２０１ａとした例である。図１１（ｂ）に示す締結部品２０では、軸部２０１の貫通孔内に樹脂材料が入り込んだ状態で枠体１９が成形されるため、締結部品２０が抜けにくくなる。
図１１（ｃ）及び図１１（ｄ）に示す締結部品２０は、軸部２０１全体又は軸部２０１のネジ先のみを逆テーパー形状に形成して抜け防止部２０１ａとした例である。軸部２０１の逆テーパー部が枠体１９に引っかかるため、締結部品２０が抜けにくくなる。
【００３４】
なお、抜け防止部２０１ａは、上述したいずれかの形状に限られない。
例えば、図１１（ａ）〜図１１（ｄ）に示す抜け防止部２０１ａ各形状を組み合わせて軸部２０１としてもよい。
【００３５】
図８に戻って、軸部２０１は、締結部品２０が回転することを防止する回転防止部２０１ｂを含んでいる。
回転防止部２０１ｂは、例えば、軸部２０１の少なくとも一部を切欠いて形成された平面部である。このような回転防止部２０１ｂを有する軸部２０１は、断面が円形状ではなく、また軸部２０１の表面の全面が枠体１９と密着しているため、締結部品２０が回転できなくなる。
上述したような平面部を有する締結部品２０としては、例えば以下の第１の例及び第２の例が挙げられる。
【００３６】
図１２（ａ）及び図１２（ｂ）は、軸部２０１が、軸部２０１を切欠いて形成された平面部に直交する断面の断面形状が略Ｄ字状を有するように切欠きを設けた例（第１の例）である。ここで、断面形状が「Ｄ字状」又は「略Ｄ字状」とは、例えば断面が直線と円弧状の曲線とで囲まれた形状を示す。このとき、直線と曲線の長さの比は限定されない。
図１２（ａ）及び図１２（ｂ）に示す締結部品２０は、軸部２０１の中心軸を含む平面と平行な平面部が形成されるように切欠き部を設け、この平面部を回転防止部２０１ｂとした例である。
図１２（ａ）は締結部品２０の斜視図であり、図１２（ｂ）は図１２（ａ）に示す締結部品２０の軸部２０１を切欠いて形成された平面部に直交する断面を示す断面図である。
【００３７】
図１２（ｃ）及び図１２（ｄ）は、軸部２０１が、軸部２０１を切欠いて形成された平面部に直交する断面の断面形状が略Ｈ字状を有するように切欠きを設けた例（第２の例）である。図１２（ｃ）及び図１２（ｄ）に示す締結部品２０は、軸部２０１の中心軸に向かう溝状の切欠き部を備える。この切欠き部は、内壁に平面部を備え、軸部２０１の中心軸方向に延びている。すなわち、図１２（ｃ）及び図１２（ｄ）に示す締結部品２０は、軸部２０１の切欠き部の平面部を回転防止部２０１ｂとした例である。
図１２（ｃ）は締結部品２０の斜視図であり、図１２（ｄ）は図１２（ｃ）に示す締結部品２０の軸部２０１を切欠いて形成された平面部に直交する断面を示す断面図である。
【００３８】
また、回転防止部２０１ｂは、例えば、軸部２０１の形状を多角柱とした場合に形成される平面部であってもよい。このような回転防止部２０１ｂを有する軸部２０１も、断面が円形状ではなく、また軸部２０１の表面の全面が枠体１９と密着しているため、締結部品２０が回転できなくなる。
上述したような平面部を有する締結部品２０としては、例えば以下の第３の例及び第４の例が挙げられる。
【００３９】
図１２（ｅ）及び図１２（ｆ）に示す締結部品２０は、軸部２０１が三角柱状である例（第３の例）である。すなわち、図１２（ｅ）及び図１２（ｆ）に示す締結部品２０は、軸部２０１の側面の平面部を回転防止部２０１ｂとした例である。図１２（ｅ）は締結部品２０の斜視図であり、図１２（ｆ）は図１２（ｅ）に示す締結部品２０の軸部２０１の中心軸に直交する断面を示す断面図である。
図１２（ｇ）及び図１２（ｈ）に示す締結部品２０は、軸部２０１が四角柱状である例（第４の例）である。すなわち、図１２（ｇ）及び図１２（ｈ）に示す締結部品２０は、軸部２０１の側面の平面部を回転防止部２０１ｂとした例である。図１２（ｇ）は締結部品２０の斜視図であり、図１２（ｈ）は図１２（ｇ）に示す締結部品２０の軸部２０１の中心軸に直交する断面を示す断面図である。
【００４０】
また、回転防止部２０１ｂは、上述した第１〜第４の例のように、軸部２０１が平面部を有する形状に限られない。
図１２（ｉ）及び図１２（ｊ）に示す締結部品２０は、軸部２０１の側壁を貫通する貫通孔を回転防止部２０１ｂとした場合の例である。図１２（ｉ）は締結部品２０の斜視図であり、図１２（ｊ）は図１２（ｉ）に示す締結部品２０の軸部２０１のＣ−Ｃ’断面を示す断面図である。
図１２（ｉ）に示す締結部品２０では、軸部２０１の貫通孔内に樹脂材料が入り込んだ状態で枠体１９が成形されるため、締結部品２０が回転しなくなる。
【００４１】
このような照明装置１０は、図５（ａ）及び（ｂ）に示すように、取付用ばね１２ａ及び１２ｂによって被取付面３０に取り付けられる。このとき、照明装置１０は、電源部１１、器具本体１３及び枠体１９の順に取付孔３０ａに挿入される。また、取付用ばね１２（１２ａ，１２ｂ）は、器具本体１３側に寄せて縮められた状態で、取付孔３０ａに挿入される。
【００４２】
取付用ばね１２の全体が被取付面３０の上側に入り込むと、縮んでいた取付用ばね１２が弾性変形により広がる。このため、取付用ばね１２の折り曲げ部１２２が、被取付面３０の上面に接する。そして、枠体１９の鍔部１９１の上面がパッキン２３を介して被取付面３０の下面と接する。
これにより、照明装置１０は、取付用ばね１２ａ及び１２ｂと枠体１９の鍔部１９１とによって挟持されて、取付孔３０ａ内に取り付けられる。
【００４３】
［本発明の作用及び効果］
以上説明した本発明の一実施形態に係る照明装置によれば、以下の作用及び効果を得ることができる。
（１）枠体と一体化された金属材料で形成された締結部品に対して取付ねじを取り付けるため、締結部品２０自体にクラックが生じさせることなく枠体と取付用ばね及び器具本体とを締結することができる。
（２）照明装置１０が天井に取り付けられると、取付用ばねは天井の上面の設置された位置を維持しようとするのに対し、取付用ばねが固定された器具本体は、照明装置の重量により、床方向に下がろうとする。このため、取付用ばねによって、取付ねじに対して、取付けねじが抜ける方向に力が加わる。
しかしながら、締結部品は金属材料で形成されているため、取付ねじに対して取付けねじが抜ける方向に力が加わっても、締結部品が破損しない。さらに、この場合、樹脂材料で形成された器具本体は、締結部品と一体化されているので、取付ねじに対して取付けねじが抜ける方向に力が加わっても、器具本体が破損しない。
【００４４】
（３）締結部品の軸部の全面が枠体と密着しているため、締結部品を枠体にねじ込んで枠体と締結部品とを一体化した場合と比べて枠体の破損が防止される。
（４）締結部品が上述した抜け防止部と回転防止部との双方を備えるため、インサート成形により枠体と一体化した締結部品が枠体から抜けたり、回転により取付ねじが回転して少しずつ取付ねじが抜けることを防止できる。
（５）締結部品の軸部が適切に設定されているため、締結部品が枠体から抜けにくくなる。
（６）締結部品が真鍮、鉄又はステンレスで形成されるため、締結部品の強度が高くなる。
（７）本願の照明装置は、（１）〜（６）に記載の作用があるため、照明装置が床上等に落下することが防止される。
【００４５】
［その他］
本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【００４６】
すなわち、本発明は、締結部品を介して接続される部品が器具本体と枠体に限られない。
例えば、照明装置の他の部分や照明装置以外の他の装置において、金属材料で形成された締結部品と、樹脂材料で形成され、前記締結部品と一体化された第１の部品と、前記締結部品を介して前記第１の部品に締結された第２の部品と、を含む締結機構が適用されてもよい。
【００４７】
例えば、本願発明は、第１の部品と第２の部品とが締結される際の締結機構として適用可能である。第１の部品は、樹脂材料で形成されており、金属材料で形成された締結部品と一体化されていれば、取付ねじにより第１の部品に第２の部品を固定することができる。
このため、例えば図１３に示すように、締結部品１２０が一体に設けられた器具本体１３（第１の部品）と、電源部１１（第２の部品）とを、取付ねじ１４ａによって固定することもできる。なお、図１３において、図１から図１２と共通する部分には同一の参照符号を付している。
【符号の説明】
【００４８】
１０  照明装置
１１  電源部
１２  取付用ばね
１３  器具本体
１５  発光素子基板
１６  発光素子
１７  反射部品
１９  枠体
２０  締結部品
２１  透光性カバー
【図１】
0006510206.tif 000002
【図２】
0006510206.tif 000003
【図３】
0006510206.tif 000004
【図４】
0006510206.tif 000005
【図５】
0006510206.tif 000006
【図６】
0006510206.tif 000007
【図７】
0006510206.tif 000008
【図８】
0006510206.tif 000009
【図９】
0006510206.tif 000010
【図１０】
0006510206.tif 000011
【図１１】
0006510206.tif 000012
【図１２】
0006510206.tif 000013
【図１３】
0006510206.tif 000014